【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
電力コントロールシステムであって、任意の数のフィードバックセンサーによってコントロールされる形態にて広範な電圧源をブースト処理及び／又は降圧処理するための回路を含んでおり、
ブースト処理及び／又は降圧処理のために一点での比較のみを利用しており、
極めて低い作動中に前記電圧源に十分に低いインピーダンスを提供し、ハロゲン１２Ｖインバータおよび調光回路のような高感度な供給源によって適切で十分な運用を実施させることを特徴とする電力コントロールシステム。
【請求項２】
一点での比較は、基準閾値の電圧であれば、検知された最も高い電流が入力電流をＯＮまたはＯＦＦにトリガ処理するように、インダクタ電流を含んだ複数のセンサーのブースト電圧またはグローブ電流との論理比較であることを特徴とする請求項１記載の電力コントロールシステム。
【請求項３】
電流を制限して電圧制御されたブースタを含んだ電力コントロールシステムであって、出力のターゲットブースタ電圧を入力電流と比較するための１つのコンパレータのみを利用しており、
ＡＣ入力電流が低過ぎると、前記ブースタは非常に低いインピーダンスとして表れ、インダクタを接地状態に固定し、ディマーと電子変圧器の両方の通常運行を実行させるのに十分な電圧をターゲット電圧ブースタに提供し、
電力が回復すると、変圧器が新しいサイクルを開始するか、ディマーがトリガ処理するかによってインダクタのチャージサイクルが復帰し、必要な電力のみを引き出させることを特徴とする電力コントロールシステム。
【請求項４】
放電ランプまたはＬＥＤランプのような電圧源を駆動するための装置であって、
低電圧ＡＣ信号を調節するために、調光コントロール信号の負荷サイクルまたは新しいサイクルを開始する変圧器に対応してインダクタを介して周期的にＯＮ操作およびＯＦＦ操作するように設計されているＡＣ電圧源を受領する電力ブースタと、
所定のターゲットブースト電圧であれば、放電するためのターゲット電圧ブーストを提供するためのブースタコントロール回路と、
を含んでおり、前記ブースタコントロール回路は、検出された入力電流、ブースト電圧又はグローブ電流に従って、所定のターゲットブースト電圧に電流供給を適合させることを特徴とする装置。
【請求項５】
ブースタコントロール回路は、変圧器から供給源または負荷インピーダンスを隔離している、該変圧器の入力または出力に２つの同一タイプの受動素子が関与する安定したインピーダンス変圧器システムを含んでおり、前記受動素子はレジスタ、コンデンサまたはインダクタであり、それぞれの受動素子は所与の変圧器の巻部と直列であり、対称的に両側に配置されており、同一タイプの値である負荷は対称的または均衡した負荷になっており、値は予め調整されて所望の安定した負荷を提供することを特徴とする請求項４記載の装置。
【請求項６】
放電ランプは蛍光照明器具であり、受動素子はコンデンサであることを特徴とする請求項５記載の装置。
【請求項７】
ブースタコントロール回路は、
電圧ブーストをモニターするコンパレータであって、接地状態にされたとき、電力ブースタのインダクタを介して電流を提供する所定のターゲットブースト電圧未満に降下したら、ターゲット電流が達成されたときに解放してターゲット電圧ブーストを増加させ、所定のターゲットブースト電圧であればターゲット電圧ブーストを解放するコンパレータと、
入力電圧をモニターするコンパレータであって、所定のターゲット電圧を超えたら昇圧段階から切断され、ターゲット電圧が該所定のターゲット電圧未満に降下したら再接続するコンパレータと、
を含んでいることを特徴とする請求項４記載の装置。
【請求項８】
ブースタコントロール回路は、(a)ブーストされた出力電圧、(b)グローブ電流、および(c)インダクタ入力電流、等々の少なくとも１つを比較することでターゲット電流を調節する複数入力コンパレータを含んでおり、該複数入力コンパレータは前記入力の複数を比較することでターゲット電流を調節し、
前記コンパレータは、前記入力の１以上が設定条件を超えるかそれに到達したときにトリガ処理され、少なくとも１つの励起予備条件に到達すると前記コンパレータは状態を変更させることを特徴とする請求項４記載の装置。
【請求項９】
ブースタ回路は、所定のターゲット電圧ブーストを同期的および継続的に調節し、ターゲット電圧ブーストを該所定のターゲット電圧ブーストと比較する可変周波数キャリアで運用可能であることを特徴とする請求項４記載の装置。
【請求項１０】
調光コントロール信号の負荷サイクルは、インダクタの負荷サイクルとランプ電流との間の関係に従って変動することを特徴とする請求項４記載の装置。
【請求項１１】
電流制御ブースタは、ターゲット電圧未満のときに電圧ブースタを瞬間的にチャージさせ、負荷へターゲット電圧を放電する時に、コンパレータのリセットを遅延させるためのダイオードを含んでいることを特徴とする請求項４記載の装置。
【請求項１２】
以下の要素を非限定的に比較するために主として１つのコンパレータをさらに含んでいることを特徴とする請求項４記載の装置：
a)出力ブーストされた電圧；
b)グローブ電流；
c)インダクタ入力電流；
d)一次変圧器電流；
e)光束；
f)温度；
g)モータ速度。
【請求項１３】
放電ランプを流れるランプ電流は調光コントロール信号の負荷サイクルによって直接的に変動することを特徴とする請求項４記載の装置。
【請求項１４】
電力レギュレータはトランジスタタイプのスイッチを含んでいることを特徴とする請求項４記載の装置。
【請求項１５】
電力レギュレータは降圧レギュレータを含んでいることを特徴とする請求項４記載の装置。
【請求項１６】
放電ランプと、該放電ランプを駆動するための装置との組み合わせ構造であり、電力コントロールシステムをさらに含んでおり、
該電力コントロールシステムは、任意の数のフィードバックセンサーによってコントロールされる形態にて広範な電圧源をブースト処理するための回路を含んでおり、一点での比較のみを利用しており、極めて低い作動中に前記電圧源に十分に低いインピーダンスを提供し、ハロゲン１２Ｖインバータおよび調光回路のような敏感な供給源によって適切で十分な運用を実施させることを特徴とする組み合わせ構造。
【請求項１７】
請求項１から１５のいずれかに記載の放電ランプを駆動する装置を利用することを特徴とする放電ランプと該放電ランプを駆動する装置との組み合わせ構造。
【請求項１８】
開放シュラウドを備えたハウジングを有した一体型光源であって、該ハウジングは、請求項１から１５のいずれかに記載の放電ランプを駆動する装置を利用した放電ランプと放電ランプを駆動する装置とを含む大きさで、該放電ランプは前記ハウジングに同軸状態で取り付けられているヘリカルグローブ体であることを特徴とする光源。
【請求項１９】
ハウジングは、凸形状で外側に広がり、実質的に円錐台形状の外側反射要素を備えた凹形状内側反射要素をさらに含んでおり、らせん状または環状のグローブ体は、使用時に前記内側反射要素および前記外側反射要素と相対関係に位置し、前記らせん状のグローブ体から外側へ光を放出させることを特徴とする請求項１８記載の光源。
【請求項２０】
中央錐形反射は、光を、通常にはらせん、環または表面（ＬＥＤ環）内において、捕獲させて外側に放出させ、所与の反射設計の効率を向上させることを特徴とする請求項１８記載の光源。
【請求項２１】
ヘリックスコイル間の間隔が狭いほど、所与の設計において該コイル内に捕獲される光を抽出する中央錐形反射の効果が向上し、所与の間隔に対して照明量を効果的に最大化させることを特徴とする請求項１８記載の光源。
【請求項２２】
反射性の中央錐形反射は、非限定的にＣＦＬ、ＣＣＦＬ、ＬＥＤ、等々を含んだ様々な照明技術のために、光学的な効率を大きく改善することを特徴とする請求項１８記載の光源。
【請求項２３】
内側反射要素および外側反射要素はハウジングのシュラウドと一体化できることを特徴とする請求項１９記載の光源。
【請求項２４】
ハウジングは、電気ソケットに容易に挿入できるように該ハウジングの本体よりも小さな延出後部を含んでおり、延出コンタクトを介して電源に電気的に接続されることを特徴とする請求項１８記載の光源。